【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）においてリソースを受け取る方法であって、
媒体占有およびリソースブロックグループ（ＲＢＧ）サイズを備える情報をｇＮＢから受信することと、ここにおいて、前記ＲＢＧサイズは、媒体占有状態に基づく、
送信または受信のために使用される物理リソースブロック（ＰＲＢ）、ＲＢＧ、またはインターレースの合計数とともに、開始ＰＲＢ、ＲＢＧ、またはインターレースを受信することと、
占有されていないチャネルおよびガードバンドを含む複数のチャネルにわたるいくつかの前記ＲＢ、ＲＢＧ、またはインターレースにまたがることと、
送信または受信のための使用可能なＲＢからＰＲＢ、ＲＢＧ、またはインターレースの前記合計数を取得するために、前記ガードバンド内および占有されていないチャネル内のＰＲＢ、ＲＢＧ、またはインターレースを自動的にスキップすることと、
によって、リソース割り当て（ＲＡ）オーバーヘッドを低減することと、
を備える、方法。
【請求項２】
前記占有された媒体の各サイド周辺にある追加のガードバンドを受信することをさらに備える、請求項１に記載の方法。
【請求項３】
前記媒体占有および前記ＲＢＧサイズを備える前記情報は、無線リソース制御（ＲＲＣ）レイヤからのものであるか、または予め定義される、請求項１に記載の方法。
【請求項４】
前記媒体占有を備える前記情報は、Ｌ１チャネル上の共通信号によって搬送され、前記ＲＢＧサイズと前記媒体占有状態との間に暗黙的マッピングが存在する、請求項１に記載の方法。
【請求項５】
前記媒体占有を備える情報は、ビットマップによって示されかつＵＥ固有チャネル上で前記ＵＥによって受信され、前記ビットマップ中の少なくとも１つのビットは、１つまたは複数のＲＢＧを表し、前記ＲＢＧサイズと構成された帯域幅部分（ＢＷＰ）との間に暗黙的マッピングが存在する、請求項１に記載の方法。
【請求項６】
ＲＡインジケーションと媒体占有インデックスとをジョイントコーディングすることによってＲＡオーバーヘッドを低減すること
をさらに備え、ＲＡオーバーヘッドを低減することは、
最初に割り当てられたチャネルにおいて前記開始ＰＲＢを受信し、最後に割り当てられたチャネルにおいて終了ＰＲＢを受信することと、
前記最初に割り当てられたチャネルと前記最後に割り当てられたチャネルとを示す前記媒体占有状態を受信することと、
を備える、請求項１に記載の方法。
【請求項７】
前記ＵＥの１つのチャネルにわたる等間隔のＰＲＢの少なくとも１つのインターレースへのアクセスを受信すること、
をさらに備える、請求項１に記載の方法。
【請求項８】
システム帯域幅内の複数のチャネルにわたる等間隔のＰＲＢの少なくとも１つのインターレースまたは１つの部分インターレースへのアクセスを受信すること、
をさらに備える、請求項１に記載の方法。
【請求項９】
前記占有された媒体が完全に占有されていない場合に、前記ガードバンドは、隣接チャネル漏洩電力を回避するために、前記占有された媒体の周辺に割り振られる、請求項２に記載の方法。
【請求項１０】
前記Ｌ１チャネル上で搬送される前記情報は、送信機会（ＴＸＯＰ）の最初のスロットにおいて送信され、前記ＴＸＯＰの後続のスロットにおいて繰り返される、請求項４に記載の方法。
【請求項１１】
ユーザ機器（ＵＥ）においてリソースを受け取るための装置であって、
媒体占有およびリソースブロックグループ（ＲＢＧ）サイズを備える情報をｇＮＢから受信するための手段と、前記ＲＢＧサイズは、媒体占有状態に基づき、
リソース割り当て（ＲＡ）オーバーヘッドを低減するための手段と、
を備え、ＲＡオーバーヘッドを低減するための前記手段は、
送信または受信のために使用される物理リソースブロック（ＰＲＢ）、ＲＢＧ、またはインターレースの合計数とともに、開始ＰＲＢ、ＲＢＧ、またはインターレースを受信するための手段と、
占有されていないチャネルおよびガードバンドを含む複数のチャネルにわたるいくつかの前記ＲＢ、ＲＢＧ、またはインターレースにまたがるための手段と、
送信または受信のための使用可能なＲＢからＰＲＢ、ＲＢＧ、またはインターレースの前記合計数を取得するために、前記ガードバンド内および占有されていないチャネル内のＰＲＢ、ＲＢＧ、またはインターレースを自動的にスキップするための手段と、
を備える、装置。
【請求項１２】
占有された媒体の周辺にある追加のガードバンドを受信するための手段をさらに備える、請求項１１に記載の装置。
【請求項１３】
前記媒体占有および前記ＲＢＧサイズを備える前記情報は、無線リソース制御（ＲＲＣ）レイヤからのものであるか、または予め定義される、請求項１１に記載の装置。
【請求項１４】
前記媒体占有を備える前記情報は、Ｌ１チャネル上の共通信号によって搬送され、前記ＲＢＧサイズと前記媒体占有状態との間に暗黙的マッピングが存在する、請求項１１に記載の装置。
【請求項１５】
プロセッサ実行可能命令を記憶した非一時的プロセッサ可読記憶媒体であって、前記命令は、コンピュータによって実行されると、前記コンピュータに、請求項１〜１０のいずれか一項に記載の方法を行わせる、非一時的プロセッサ可読記憶媒体。
【手続補正２】
【補正対象書類名】明細書
【補正対象項目名】０１２２
【補正方法】変更
【補正の内容】
【０１２２】
[0138]  添付された図面では、同様のコンポーネントまたは特徴は、同じ参照ラベルを有し得る。さらに、同じタイプの様々なコンポーネントは、参照ラベルの後に、ダッシュと、それらの同様のコンポーネント間を区別する第２のラベルとを続けることによって区別され得る。第１の参照ラベルのみが明細書において使用される場合、その説明は、第２の参照ラベルに関わらず、同じ第１の参照ラベルを有する同様のコンポーネントのうちの任意の１つに適用可能である。
以下に、本願の出願当初の特許請求の範囲に記載された発明を付記する。
［Ｃ１］
ユーザ機器（ＵＥ）においてリソースを受け取る方法であって、
媒体占有およびリソースブロックグループ（ＲＢＧ）サイズを備える情報をｇＮＢから受信することを備え、前記リソースブロックグループサイズは、媒体占有状態に基づく、  方法。
［Ｃ２］
前記占有された媒体の各サイド周辺にある追加のガードバンドを受信することをさらに備える、Ｃ１に記載の方法。
［Ｃ３］
前記媒体占有および前記リソースブロックグループ（ＲＢＧ）サイズを備える前記情報は、無線リソース制御（ＲＲＣ）レイヤからのものであるか、または予め定義される、Ｃ１に記載の方法。
［Ｃ４］
前記媒体占有は、Ｌ１チャネル上の共通信号によって搬送される情報を使用して前記ＵＥによって受信され、前記ＲＢＧサイズと前記媒体占有状態との間に暗黙的マッピングが存在する、Ｃ１に記載の方法。
［Ｃ５］
前記媒体占有は、ビットマップによって示されかつＵＥ固有チャネル上で前記ＵＥによって受信される情報を使用して、前記ＵＥによって受信され、前記ビットマップ中の少なくとも１つのビットは、１つまたは複数のＲＢＧを表し、前記ＲＢＧサイズと前記構成されたＢＷＰとの間に暗黙的マッピングが存在する、Ｃ１に記載の方法。
［Ｃ６］
開始ＰＲＢ、ＲＢＧ、またはインターレースを受信することと、
占有されていないチャネルおよびガードバンドを含む複数のチャネルにわたるいくつかの前記ＲＢ、ＲＢＧ、またはインターレースにまたがることと、
前記ガードバンド内および占有されていないチャネル内のＰＲＢ、ＲＢＧ、またはインターレースを自動的にスキップすることと、
によって、リソース割り当て（ＲＡ）オーバーヘッドを低減することをさらに備える、Ｃ１に記載の方法。
［Ｃ７］
最初に割り当てられたチャネルにおいて開始ＰＲＢを受信し、最後に割り当てられたチャネルにおいて終了ＰＲＢを受信することと、
前記最初に割り当てられたチャネルと前記最後に割り当てられたチャネルとを示す媒体占有状態を受信することと
を備える、リソース割り当て（ＲＡ）インジケーションと媒体占有インデックスとをジョイントコーディングすることによってリソース割り当て（ＲＡ）オーバーヘッドを低減することをさらに備える、Ｃ１に記載の方法。
［Ｃ８］
前記ＵＥの１つのチャネルにわたる等間隔のＰＲＢの少なくとも１つのインターレースへのアクセスを受信すること
をさらに備える、Ｃ１に記載の方法。
［Ｃ９］
システム帯域幅内の複数のチャネルにわたる等間隔のＰＲＢの少なくとも１つのインターレースまたは１つの部分インターレースへのアクセスを受信すること
をさらに備える、Ｃ１に記載の方法。
［Ｃ１０］
前記媒体が完全に占有されていない場合に、前記ガードバンドは、隣接チャネル漏洩電力を回避するために、前記占有された媒体の周辺に割り振られる、Ｃ２に記載の方法。
［Ｃ１１］
前記Ｌ１チャネル上で搬送される前記メッセージは、ＴＸＯＰの最初のスロットにおいて送信され、前記ＴＸＯＰの後続のスロットにおいて繰り返される、Ｃ４に記載の方法。
［Ｃ１２］
ユーザ機器（ＵＥ）においてリソースを受け取るための装置であって、
媒体占有およびリソースブロックグループ（ＲＢＧ）サイズを備える情報をｇＮＢから受信するための手段を備え、前記リソースブロックグループサイズは、媒体占有状態に基づく、
装置。
［Ｃ１３］
占有された媒体の周辺にある追加のガードバンドを受信するための手段をさらに備える、Ｃ１２に記載の装置。
［Ｃ１４］
前記媒体占有および前記リソースブロックグループ（ＲＢＧ）サイズを備える前記情報は、無線リソース制御（ＲＲＣ）レイヤからのものであるか、または予め定義される、Ｃ１２に記載の装置。
［Ｃ１５］
前記媒体占有は、Ｌ１チャネル上の共通信号によって搬送される情報を使用して前記ＵＥによって受信され、前記ＲＢＧサイズと前記媒体占有状態との間に暗黙的マッピングが存在する、Ｃ１２に記載の装置。
［Ｃ１６］
前記媒体占有は、ビットマップによって示されかつＵＥ固有チャネル上で前記ＵＥによって受信される情報を使用して、前記ＵＥによって受信され、前記ビットマップ中の少なくとも１つのビットは、１つまたは複数のＲＢＧを表し、前記ＲＢＧサイズと前記構成されたＢＷＰとの間に暗黙的マッピングが存在する、Ｃ１２に記載の装置。
［Ｃ１７］
開始ＰＲＢ、ＲＢＧ、またはインターレースを受信するための手段と、
占有されていないチャネルおよびガードバンドを含む複数のチャネルにわたるいくつかの前記ＲＢ、ＲＢＧ、またはインターレースにまたがるための手段と、
前記ガードバンド内および占有されていないチャネル内のＰＲＢ、ＲＢＧ、またはインターレースを自動的にスキップするための手段と
を備える、リソース割り当て（ＲＡ）オーバーヘッドを低減するための手段をさらに備える、Ｃ１２に記載の装置。
［Ｃ１８］
最初に割り当てられたチャネルにおいて開始ＰＲＢを受信し、最後に割り当てられたチャネルにおいて終了ＰＲＢを受信することと、
前記最初に割り当てられたチャネルと前記最後に割り当てられたチャネルとを示す媒体占有状態を受信することと
を備える、リソース割り当て（ＲＡ）インジケーションと媒体占有インデックスとをジョイントコーディングすることによってリソース割り当て（ＲＡ）オーバーヘッドを低減することをさらに備える、Ｃ１２に記載の装置。
［Ｃ１９］
前記ＵＥの１つのチャネルにわたる等間隔のＰＲＢの少なくとも１つのインターレースへのアクセスを受信すること
をさらに備える、Ｃ１２に記載の装置。
［Ｃ２０］
システム帯域幅内の複数のチャネルにわたる等間隔のＰＲＢの１つのインターレースまたは１つの部分インターレースへのアクセスを受信すること
をさらに備える、Ｃ１２に記載の装置。
［Ｃ２１］
前記媒体が完全に占有されていない場合に、前記ガードバンドは、隣接チャネル漏洩電力を回避するために、前記占有された媒体の周辺に割り振られる、Ｃ１３に記載の装置。
［Ｃ２２］
前記Ｌ１チャネル上で搬送される前記情報は、ＴＸＯＰの最初のスロットにおいて送信され、前記ＴＸＯＰの後続のスロットにおいて繰り返される、Ｃ１５に記載の装置。
［Ｃ２３］
ユーザ機器（ＵＥ）においてリソースを受け取るための装置であって、
メモリと、
前記メモリに結合されたプロセッサと、を備え、前記プロセッサは、
媒体占有およびリソースブロックグループ（ＲＢＧ）サイズを備える情報をｇＮＢから受信するように構成され、前記リソースブロックグループサイズは、媒体占有状態に基づく、
装置。
［Ｃ２４］
前記プロセッサは、前記占有された媒体の各サイド周辺にある追加のガードバンドを受信するようにさらに構成される、Ｃ２３に記載の装置。
［Ｃ２５］
前記媒体占有および前記リソースブロックグループ（ＲＢＧ）サイズを備える前記情報は、無線リソース制御（ＲＲＣ）レイヤからのものであるか、または予め定義される、Ｃ２３に記載の装置。
［Ｃ２６］
前記媒体占有は、Ｌ１チャネル上の共通信号によって搬送される情報を使用して前記ＵＥによって受信され、前記ＲＢＧサイズと前記媒体占有状態との間に暗黙的マッピングが存在する、Ｃ２３に記載の装置。
［Ｃ２７］
前記媒体占有は、ビットマップによって示されかつＵＥ固有チャネル上で前記ＵＥによって受信される情報を使用して、前記ＵＥによって受信され、前記ビットマップ中の少なくとも１つのビットは、１つまたは複数のＲＢＧを表し、前記ＲＢＧサイズと前記構成されたＢＷＰとの間に暗黙的マッピングが存在する、Ｃ２３に記載の装置。
［Ｃ２８］
前記プロセッサは、
開始ＰＲＢ、ＲＢＧ、またはインターレースを受信することと、
占有されていないチャネルおよびガードバンドを含む複数のチャネルにわたるいくつかの前記ＲＢ、ＲＢＧ、またはインターレースにまたがることと、
前記ガードバンド内および占有されていないチャネル内のＰＲＢ、ＲＢＧ、またはインターレースを自動的にスキップすることと
によって、リソース割り当て（ＲＡ）オーバーヘッドを低減するようにさらに構成される、Ｃ２３に記載の装置。
［Ｃ２９］
前記プロセッサは、
最初に割り当てられたチャネルにおいて開始ＰＲＢを受信し、最後に割り当てられたチャネルにおいて終了ＰＲＢを受信することと、
前記最初に割り当てられたチャネルと前記最後に割り当てられたチャネルとを示す媒体占有状態を受信することと
を備える、リソース割り当て（ＲＡ）インジケーションと媒体占有インデックスとをジョイントコーディングすることによってリソース割り当て（ＲＡ）オーバーヘッドを低減することを行うようにさらに構成される、Ｃ２３に記載の装置。
［Ｃ３０］
プロセッサ実行可能命令を記憶した非一時的プロセッサ可読記憶媒体であって、前記命令は、装置のプロセッサに、ユーザ機器（ＵＥ）においてリソースを受け取らせるように構成され、
媒体占有およびリソースブロックグループ（ＲＢＧ）サイズを備える情報をｇＮＢから受信することを備え、前記リソースブロックグループサイズは、媒体占有状態に基づく、  非一時的プロセッサ可読記憶媒体。